(57)【要約】【課題】液体を保持する部材がフレームから簡単に外れてしまう場合があること。【解決手段】アイウエアは、液体を保持する空洞を有する液体保持部と、液体保持部の少なくとも一部を収容する収容部が形成されたフレームと、を備え、液体保持部は、ヒンジによって、液体保持部が収容部に収容される位置と液体保持部が収容部に収容されない位置との間で可動に前記フレームに支持され、液体保持部は、液体保持部が収容部に収容されフレームが顔部に装着されている場合に、空洞から顔部へ気体を透過させる気体透過部を有する。【選択図】図１
2015084067.tif 000002
【特許請求の範囲】
【請求項１】
液体を保持する空洞を有する液体保持部と、
前記液体保持部の少なくとも一部を収容する収容部が形成されたフレームと、
を備え、
前記液体保持部は、ヒンジによって、前記液体保持部が前記収容部に収容される位置と前記液体保持部が前記収容部に収容されない位置との間で可動に前記フレームに支持され、
前記液体保持部は、前記液体保持部が前記収容部に収容され前記フレームが顔部に装着されている場合に、前記空洞から前記顔部へ気体を透過させる気体透過部を有する、
アイウエア。
【請求項２】
前記収容部は、前記フレームの智部または前記フレームのテンプル部に形成され、
前記テンプル部は、前記ヒンジによって、前記智部に対して可動に前記智部に支持され、
前記液体保持部および前記テンプル部は、前記ヒンジによって共通の支軸の周りに回転可能に支持される
請求項１に記載のアイウエア。
【請求項３】
前記液体保持部および前記テンプル部は、前記支軸の回りに独立して回転する
請求項２に記載のアイウエア。
【請求項４】
前記液体保持部は、前記ヒンジの支軸に着脱可能に設けられる
請求項１から請求項３のいずれか一項に記載のアイウエア。
【請求項５】
前記空洞は、液体を貯留する
請求項１から請求項４のいずれか一項に記載のアイウエア。
【請求項６】
前記液体保持部には、前記液体保持部が前記収容部に収容され前記フレームが顔部に装着されている場合に前記顔部に対向する面に、前記空洞まで貫通し、気体を透過させるが液体を透過させない１以上の通気孔が形成されている、
請求項５に記載のアイウエア。
【請求項７】
前記液体保持部には、前記液体保持部が前記収容部に収容されていない状態で前記空洞に液体を供給するための開口が形成されており、
前記開口は、前記液体保持部が前記収容部に収容されている場合に前記収容部の内面に対向する位置に形成されている、
請求項１から請求項６のいずれか一項に記載のアイウエア。
【請求項８】
前記開口を塞ぐ蓋部材
をさらに備える、請求項７に記載のアイウエア。
【請求項９】
前記蓋部材は、前記開口に着脱可能に設けられる
請求項８に記載のアイウエア。
【請求項１０】
前記蓋部材には、外部から前記空洞まで貫通する液体供給口が形成されている、
請求項８または請求項９に記載のアイウエア。
【請求項１１】
前記蓋部材は、
前記液体保持部が前記収容部に収容されている場合に前記収容部の内面に対向する第１面と、
前記第１面の反対側の第２面と
を有し、
前記液体供給口は、
前記第１面に設けられた第１開口と、
前記第２面に設けられ、前記第１開口とは大きさが異なる第２開口と
を有する、
請求項１０に記載のアイウエア。
【請求項１２】
前記第２開口は、前記第１開口とは大きさが異なる
請求項１１に記載のアイウエア。
【請求項１３】
前記蓋部材は、前記第１面と前記第２面とを接続する側部をさらに有し、
前記第１面は、凹部を有し、
前記第１開口は、前記第１面の前記凹部に設けられ、
前記側部は、前記凹部と連通する開口部を有する
請求項１１または１２に記載のアイウエア。
【請求項１４】
前記側部は、前記液体保持部が前記収容部に収容され前記フレームが顔部に装着されている場合に前記顔部に対向する側面部を有し、
前記凹部は、前記側面部まで延伸しており、
前記側部が有する前記開口部は、前記側面部まで延伸した前記凹部によって形成される
請求項１３に記載のアイウエア。
【請求項１５】
前記蓋部材は、前記液体保持部を形成する材料より柔軟性が高い材料で形成される
請求項８から請求項１４のいずれか一項に記載のアイウエア。
【発明の詳細な説明】
【技術分野】
【０００１】
本発明は、アイウエアに関する。
【背景技術】
【０００２】
花粉症対策用またはドライアイ対策用のメガネとして、器体内部に保水部材を収容した加湿部材をフレームに取り付けたメガネが知られている（例えば、特許文献１〜３を参照。）。
［先行技術文献］
［特許文献］
［特許文献１］特開２０００−００５２１５号公報
［特許文献２］実用新案登録第３１５２４１２号公報
［特許文献３］意匠登録第１０６９２１４号公報
【発明の概要】
【発明が解決しようとする課題】
【０００３】
液体を保持する部材がフレームから簡単に外れてしまう場合があるという課題があった。
【課題を解決するための手段】
【０００４】
上記課題を解決するために、本発明の第一態様においては、液体を保持する空洞を有する液体保持部と、液体保持部の少なくとも一部を収容する収容部が形成されたフレームと、を備え、液体保持部は、ヒンジによって、液体保持部が収容部に収容される位置と液体保持部が収容部に収容されない位置との間で可動に前記フレームに支持され、液体保持部は、液体保持部が収容部に収容されフレームが顔部に装着されている場合に、空洞から顔部へ気体を透過させる気体透過部を有するアイウエアが提供される。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】メガネ１００の一例を概略的に示す。
【図２】液体容器１３０が開口１４０に収容された状態のメガネ１００を概略的に示す。
【図３】メガネ１００の斜視展開図を概略的に示す。
【図４】液体容器１３０の斜視図を概略的に示す。
【図５】他の実施形態における液体容器２３０の斜視図を概略的に示す。
【図６】他の実施形態における液体容器３３０の斜視図を概略的に示す。
【図７】他の形態におけるフレーム４２０および液体容器４３０を概略的に示す。
【図８】フレーム４２０が折り曲げられた状態を概略的に示す。
【図９】フレーム４２０が折り曲げられていない状態を概略的に示す。
【図１０】フレーム４２０および液体容器４３０の斜視展開図を概略的に示す。
【図１１】液体容器４３０がフレーム４２０から取り外された状態を概略的に示す。
【図１２】メガネ１００の他の形態におけるフレーム７２０および液体容器７３０を概略的に示す。
【図１３】液体容器７３０がフレーム７２０から取り外された状態を概略的に示す。
【図１４】蓋７３７の斜視図を示す。
【図１５】蓋７３７の斜視図を示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。以下、図面を参照して、実施形態について説明するが、図面の記載において、同一または類似の部分には同一の参照番号を付して重複する説明を省く場合がある。なお、図面は模式的なものであり、厚みと平面寸法との関係、比率等は現実のものとは異なる場合がある。また、説明の都合上、図面相互間においても互いの寸法の関係又は比率が異なる部分が含まれる場合がある。
【０００８】
図１は、一実施形態におけるメガネ１００を概略的に示す。メガネ１００は、一対のレンズ１１０と、フレーム１２０と、液体容器１３０とを備える。メガネ１００およびフレーム１２０は、アイウエアの一例である。メガネ１００は、装着者の目の周辺に装着される装具である。
【０００９】
液体容器１３０は、液体を保持する液体保持部の一例である。フレーム１２０の一部には、開口１４０が形成されている。液体容器１３０の少なくとも一部は、開口１４０に収容され得る。開口１４０は、液体容器１３０の少なくとも一部を収容する収容部の一例である。後述するように、液体容器１３０は、ヒンジによって、液体容器１３０が開口１４０に収容される位置と液体容器１３０が開口１４０に収容されない位置との間で可動にフレーム１２０に支持される。図１は、液体容器１３０が開口１４０に収容されていない状態のメガネ１００を概略的に示す。
【００１０】
図２は、液体容器１３０が開口１４０に収容された状態のメガネ１００を概略的に示す。液体容器１３０には、液体容器１３０が開口１４０に収容されフレーム１２０が装着者の顔部に装着されている場合に顔部に対向する面である側面１３４に複数の通気孔１３５が形成されている。通気孔１３５は、後述する空洞１３２まで貫通し、気体を透過させるが液体を透過させない。液体容器１３０に保持された液体は気化して通気孔１３５を通じて装着者の顔部へ提供される。そのため、メガネ１００は、一例としてドライアイ対策を目的として利用され得る。メガネ１００は、ドライアイ対策の目的に加えて、または、ドライアイ対策の目的に代えて、花粉症対策を目的として利用され得る。
【００１１】
フレーム１２０は、ノーズパッド１２１と、リム１２２と、ブリッジ１２３と、智部１２４と、ヒンジ支軸部材１５０と、テンプル１２６と、イヤーパッド１２８とを有する。ノーズパッド１２１は、フレーム１２０が装着者の顔部に装着された場合に、顔部の鼻に当接する。フレーム１２０が装着者の顔部に装着された場合に、ノーズパッド１２１は装着者の顔部に対してフレーム１２０を位置決めする。ブリッジ１２３は、一対のリム１２２の間に位置する。
【００１２】
リム１２２は、レンズ１１０を保持する。レンズ１１０は、装着者の目の屈折異常を補正するレンズであってよい。レンズ１１０としては近視矯正用レンズ、遠視矯正用レンズ等を例示できる。レンズ１１０は、リム１２２に保持される光学部材の一例である。光学部材は、メガネ１００の使用目的に応じた光学特性を有する。例えば、光学部材は、レンズ機能に加えて、特定波長域の光を選択的に透過する波長選択特性を有してよい。なお、光学部材は、レンズ機能を有しなくてもよい。例えば、光学部材の屈折力は実質的に０であってよい。この場合、装着者の目の屈折異常は実質的に補正されない。すなわち、装着者の視力は矯正されない。
【００１３】
リム１２２は、レンズ１１０の周囲から装着者方向に伸びるフード部材を有する。これにより、液体容器１３０から蒸発した気体が拡散することを抑制できる。ヨロイとも呼ばれる智部１２４は、リム１２２の端部に配され、ヒンジ支軸部材１５０を介してテンプル１２６と結合する。一対のテンプル１２６は、装着者の頭部を挟み込む。イヤーパッド１２８は、テンプル１２６の先端部に位置する。イヤーパッド１２８の少なくとも一部は、フレーム１２０が装着されている場合に、装着者の耳の近傍に当接する。イヤーパッド１２８は、テンプル１２６の少なくとも一部を覆うパッド部材であってもよい。
【００１４】
図３は、メガネ１００の斜視展開図を概略的に示す。図３は、メガネ１００のブリッジ１２３から左目側の斜視展開図を概略的に示す。図４は、液体容器１３０の斜視図を概略的に示す。液体容器１３０は、容器本体１３１と、蓋１３７とを有する。
【００１５】
液体容器１３０の内部には、液体を保持する空洞１３２が形成されている。空洞１３２は、液体を貯留できる。空洞１３２に保持される液体としては、水を例示できる。空洞１３２の内面は撥水処理が施されていてもよい。空洞１３２の内面は抗菌処理が施されていてもよい。
【００１６】
液体容器１３０には、液体容器１３０が開口１４０に収容されていない状態で空洞１３２に液体を供給するための開口部が形成されている。開口部は、液体容器１３０が開口１４０に収容されている場合に、開口１４０の内面に対向する位置に形成されている。具体的には、開口部は、液体容器１３０の上部に形成されている。
【００１７】
蓋１３７は、液体容器１３０の上部の開口部を塞ぐ。蓋１３７には、挿入口１３８が形成されている。挿入口１３８は、外部から空洞１３２まで貫通する液体供給口の一例である。挿入口１３８にはスポイト等の液体注入器具を挿入できる。液体容器１３０が開口１４０に収容されていない状態で、液体注入器具を挿入口１３８に挿入して、液体注入器具から液体を空洞１３２に供給することができる。一例として、挿入口１３８は、断面が直径１．５ｍｍの円形状を有する。
【００１８】
蓋１３７は、軟性樹脂で形成されてよい。蓋１３７は、容器本体１３１が形成される材料より柔軟性が高い材料で形成されてよい。蓋１３７の材質は、天然ゴム、合成ゴム、シリコーンゴムなどのエラストマーであってよい。この場合、液体容器１３０がフレーム１２０の開口１４０に収容されたときに、開口１４０の内面および液体容器１３０の間に配された蓋１３７が両者を押圧するので、液体容器１３０が開口１４０から外れにくくなる。
【００１９】
蓋１３７は、液体容器１３０の上部の開口部に対して着脱可能に設けられてよい。使用者は、液体容器１３０が開口１４０に収容されていない状態で、液体容器１３０の上部の開口部から蓋１３７を取り外すことができる。蓋１３７を取り外して開口部を露出させることができるので、露出させた開口部を通じて、液体注入器具を使用せずに空洞１３２へ液体を供給することができる。また、露出させた開口部を通じて、空洞１３２に保持されている液体を空洞１３２から外に排出することができる。そのため、空洞１３２に保持されている液体を容易に交換することができる。
【００２０】
液体容器１３０は、ヒンジ支軸部材１５０により、フレーム１２０に連結される。具体的には、液体容器１３０は、ヒンジ支軸部材１５０により、智部１２４に連結される。より具体的には、液体容器１３０は、ヒンジ支軸部材１５０により、智部１２４に対して可動に支持される。液体容器１３０の容器本体１３１は、ヒンジ支軸部材１５０が挿通される挿通部１３６を有する。ヒンジ支軸部材１５０は、挿通部１３６が有する挿通口１７４に挿通される。
【００２１】
リム１２２には、ヒンジ支軸部材１５０が挿通される挿通部１６０が形成されている。ヒンジ支軸部材１５０は、挿通部１６０が有する挿通口１６２に挿通される。テンプル１２６には、ヒンジ支軸部材１５０が挿通される挿通部１７０が形成されている。ヒンジ支軸部材１５０は、挿通部１７０が有する挿通口１７２に挿通される。このように、ヒンジ支軸部材１５０は、挿通口１６２、挿通口１７２および挿通口１７４に挿通される。ヒンジ支軸部材１５０は、上側の挿通部１６０から挿通される軸部材１５２と、下側の挿通部１６０から挿通される軸部材１５４とを有する。軸部材１５４および軸部材１５２には、各挿通口に挿通される挿通部と、挿通口１６２より大きい頭部とを有する。軸部材１５４は、軸部材１５４の挿通部の少なくとも一部が軸部材１５２の挿通部内に収容されて組み付けられる。軸部材１５２は、各挿通口に挿通部が挿通されて、軸部材１５４とともにヒンジ支軸部材１５０として智部１２４に組み付けられる。
【００２２】
ヒンジ支軸部材１５０および挿通部１３６は、液体容器１３０をフレーム１２０に対して可動に支持するヒンジ機構を提供する。当該ヒンジ機構により、液体容器１３０は、智部１２４およびテンプル１２６の双方に対して可動に支持される。具体的には、液体容器１３０は、テンプル１２６および智部１２４に対して、ヒンジ支軸部材１５０の回りに独立して回転する。したがって、液体容器１３０は、ヒンジ支軸部材１５０の周りを回転して、開口１４０に収容される位置と収容されない位置との間で移動できる。このように、当該ヒンジ機構は、液体容器１３０を、液体容器１３０が開口１４０に収容される位置と液体容器１３０が開口１４０に収容されない位置との間で可動にフレーム１２０に支持する。そのため、液体容器１３０に保持させる液体の注入や交換が容易な形で、液体容器１３０をフレームに支持することができる。また、液体容器１３０がフレーム１２０から外れにくく、液体容器１３０を紛失してしまう可能性を低減できる。
【００２３】
ヒンジ支軸部材１５０および挿通部１７０は、テンプル１２６を智部１２４に対して可動に支持するヒンジ機構を提供する。当該ヒンジ機構により、テンプル１２６は、図１の左側のテンプル１２６に例示したように、テンプル１２６が智部１２４に対して折り曲げられた状態と、図２に例示したようにテンプル１２６が智部１２４に対して折り曲げられていない状態との間で可動に智部１２４に支持される。
【００２４】
このように、開口１４０は、フレーム１２０の智部１２４に形成されており、テンプル１２６は、当該ヒンジによって、智部１２４に対して可動に支持される。液体容器１３０およびテンプル１２６は、当該ヒンジによって共通のヒンジ支軸部材１５０の周りに回転可能に支持される。そのため、ヒンジの支軸を共通化することができ、ヒンジの支軸を共通化しない場合と比較して、部品点数を削減できる。ヒンジの支軸を共通化しない場合と比較して、ヒンジ機構を小型化することができ、ひいては液体を保持するスペースをより大きく確保できる。
【００２５】
上述したヒンジ機構により、液体容器１３０およびテンプル１２６は、ヒンジ支軸部材１５０の回りに独立して回転できる。例えば、液体容器１３０が開口１４０に収容された状態にしたまま、テンプル１２６を智部１２４に対して折り曲げることができる。テンプル１２６を智部１２４に対して折り曲げても、液体容器１３０は智部１２４に対して移動しない。テンプル１２６が智部１２４に対して折り曲げられた状態で、液体容器１３０をヒンジ支軸部材１５０の周りに回転させることで、液体容器１３０を開口１４０から引き出すことができる。
【００２６】
テンプル１２６が智部１２４に対して折り曲げられていない場合、テンプル１２６の智部側側面１８４は、液体容器１３０の容器本体１３１のテンプル側側面１８６に当接する。したがって、テンプル１２６が智部１２４に対して折り曲げられていない場合、液体容器１３０は開口１４０から容易には外れない。したがって、メガネ１００が装着者に装着されている場合、液体容器１３０は開口１４０から容易には外れない。
【００２７】
液体容器１３０が開口１４０に収容されている場合、液体容器１３０は、液体容器１３０が配されたフレーム１２０が顔部に装着された場合に顔部に対向する側に配されることになる側面１３４と、側面１３４に対向して配される側面１３３とを有する。側面１３４および側面１３３は、フレーム１２０の側面に沿った形状を有してよい。例えば、側面１３４および側面１３３は、智部１２４の側面に沿った形状を有してよい。側面１３３は、テンプル１２６の外側面１８２に沿った形状を有してよい。側面１３４は、テンプル１２６において外側面１８２とは反対側の面である内側面１８１に沿った形状を有してよい。側面１３４および側面１３３は、フレーム１２０の対応する側面よりもフレーム１２０の内側に配されてもよい。側面１３３は智部１２４の外側の側面に沿った形状を有し、側面１３４は、智部１２４の内側の側面よりも内側に配されてもよい。
【００２８】
メガネ１００において、通気孔１３５は、側面１３４において４行７列のマトリクス状に設けられる。通気孔１３５は、液体容器１３０が開口１４０に収容されフレーム１２０が顔部に装着されている場合に、空洞１３２から顔部へ気体を透過させる気体透過部の一例である。具体的には、通気孔１３５は、空洞１３２から側面１３４まで液体を透過させないが、気体を透過させる。一例として、通気孔１３５は、側面１３４に平行な面における断面において直径１ｍｍの円形状を有する。
【００２９】
これにより、通気孔１３５から液体が漏出することを抑制できる。例えば、通気孔１３５がフェルト、紙、海綿、スポンジ、吸水性ポリマー、ハイドロゲルのような保水性または吸水性を有する材料で覆われていない場合や、空洞１３２が保水性または吸水性を有する材料の充填材で充填されていない場合であっても、通気孔１３５から液体が漏出することを抑制できる。したがって、充填材を使用することなく、液体容器１３０の内部に液体を貯留することができる。そのため、液体容器１３０の内部に全体的に充填材が充填されている場合と比較して、より多くの液体を貯留することができる。さらに、液体容器１３０の内部に、充填材が充填されていない場合であっても、通気孔１３５から液体が漏出することを抑制できるので、メガネ１００を衛生的に使用することもできる。
【００３０】
液体容器１３０は、蓋１３７を有しなくてもよい。液体容器１３０が開口１４０に収容されている場合に、開口１４０の内面で空洞１３２の開口部を実質的に塞ぐことができれば、蓋１３７を有していなくても、空洞１３２に保持している液体が外に漏れ出すことを抑制できる。
【００３１】
図５は、他の実施形態における液体容器２３０の斜視図を示す。液体容器１３０の各部と同様の構成を有する部材には同一の符号を付して、説明を省略する場合がある。
【００３２】
通気孔１３５は、側面１３４において３行７列のマトリクス状に設けられる。蓋１３７には、挿入口２３８が形成されている。挿入口２３８の断面形状は非円形である。挿入口２３８の長手方向の長さをａとし、挿入口２３８の短手方向の長さをｂとする。一例として、ａは４ｍｍであり、ｂは３ｍｍであってよい。他の例として、ａは７ｍｍであり、ｂは３ｍｍであってよい。ａの値およびｂの値の組み合わせとしては、上述した組み合わせの他に、種々の値の組み合わせを適用できる。挿入口２３８の断面は、楕円形状であってよい。挿入口２３８の断面形状としては、これに限らず種々の形状を適用できる。また、通気孔１３５は、側面１３４において２行７列のマトリクス状に設けられてもよい。
【００３３】
図６は、他の実施形態における液体容器３３０の斜視図を概略的に示す。液体容器１３０の各部と同様の構成を有する部材には同一の符号を付して、説明を省略する場合がある。
【００３４】
液体容器３３０は、容器本体１３１と、蓋１３７とを有する。蓋１３７には、挿入口１３８と、挿入口１３８に連通するスリット１３９が形成されている。蓋１３７には、挿入口１３８に連通するスリット１３９が形成されているので、多様な種類の液体供給器具を使用して液体容器１３０に液体を供給することができる。
【００３５】
図５等に関連して説明した液体容器２３０において、蓋１３７には、液体容器３３０におけるスリット１３９に対応するスリットは形成されていない。しかし、液体容器３３０におけるスリット１３９と同様に、液体容器２３０においても、挿入口２３８に連通するスリットが蓋１３７に形成されていてもよい。
【００３６】
液体容器１３０、液体容器２３０および液体容器３３０において、通気孔１３５の断面が直径１ｍｍの円形状である場合について説明した。また、複数の通気孔１３５がマトリクス状に整列して設けられる場合について説明した。しかし、通気孔１３５の形状、数および配置は、これらに限定されない。例えば、通気孔１３５は１つであってよい。すなわち、通気孔１３５は１以上設けられてよい。複数の通気孔１３５が配される場合、複数の通気孔１３５が整列して設けられなくてもよい。通気孔１３５の形状、数および配置は、空洞１３２から側面１３４まで気体を透過させるが、液体を透過させないように決定されてよい。
【００３７】
通気孔１３５の形状は、空洞１３２からフレーム１２０の内側の面まで水蒸気を透過させるが、純水または水道水を透過させないように決定されてよい。通気孔１３５の形状としては、通気孔１３５の断面形状、断面の大きさ、および、空洞１３２側の面からフレーム１２０の内側の面までの通気孔１３５の距離を例示することができる。通気孔１３５が水蒸気を透過させるか否かは、ＪＩＳ  Ｚ０２０８で定められた透湿度試験方法（カップ法）またはＪＩＳ  Ｋ７１２９で定められた透湿度試験方法（Ｌｙｓｓｙ法など）により、試験片を通過する水蒸気の量を測定することで決定してよい。試験片に通気孔１３５を設けた場合の水蒸気透過量が、試験片に通気孔１３５を設けなかった場合の水蒸気透過量よりも大きい場合に、通気孔１３５が水蒸気を透過させると判断してよい。
【００３８】
通気孔１３５が純水または水道水を透過させるか否かは、通気孔１３５の空洞１３２側の開口と、通気孔１３５のフレーム１２０の内側の面側の開口との間に、９．８０６Ｐａ以下の圧力差を設けた状態で１０分間静置した場合に、純水または水道水が通気孔１３５を透過するか否かにより判断してよい。純水または水道水が通気孔１３５を透過したか否かは、目視により液体の水の漏出を確認することにより決定してよい。好ましくは、上記の圧力差が９．８０６Ｐａより大きく４９．０３Ｐａ以下であることが好ましく、より好ましくは、上記の圧力差が４９．０３Ｐａより大きく９８．０６Ｐａ以下であることが好ましく、さらに好ましくは、上記の圧力差が９８．０６Ｐａより大きく２９４．１８Ｐａ以下であることが好ましい。
【００３９】
通気孔１３５の断面形状が円形である場合、通気孔１３５の直径は０．１ｍｍ以上１．５ｍｍ以下、好ましくは０．３ｍｍ以上１．２ｍｍ以下、より好ましくは０．５ｍｍ以上１ｍｍ以下であってよい。通気孔１３５の断面形状が楕円形である場合、通気孔１３５の長径は０．１ｍｍ以上１．７ｍｍ以下、好ましくは０．５ｍｍ以上１．４ｍｍ以下、より好ましくは０．７ｍｍ以上１．２ｍｍ以下であってよい。空洞１３２側の面からフレーム１２０の内側の面までの通気孔１３５の距離は、０．１ｍｍ以上１．５ｍｍ以下、好ましくは０．３ｍｍ以上１．２ｍｍ以下、より好ましくは０．５ｍｍ以上１ｍｍ以下であってよい。
【００４０】
複数の通気孔１３５の体積を合計した値は、空洞１３２の体積より小さくてよい。ここで、空洞１３２の内部に充填材が配される場合には、空洞１３２の内部で充填材が占めている部分の体積は、空洞１３２の体積に含まれない。
【００４１】
通気孔１３５は、液体容器１３０が配されたフレーム１２０が顔部に装着された場合に水面となる位置よりも上側の位置に配されてもよい。なお、通気孔１３５の大きさが十分小さい場合には、液体容器１３０が配されたフレーム１２０が顔部に装着された場合に水面となる位置よりも下側の位置に、通気孔１３５が配されてもよい。
【００４２】
以上の構成により、空洞１３２に貯留された液体が気化して発生した気体が、通気孔１３５を透過してフレーム１２０の内側に供給される。また、通気孔１３５は空洞１３２に貯留された液体を透過させないので、装着者の顔部に液体が飛散することを抑制できる。
【００４３】
本実施形態において、気体透過部が、通気孔１３５である場合について説明した。しかし、気体透過部はこれに限定されない。気体透過部は、気体を透過させるが液体を透過させない有機高分子膜または無機多孔質膜を有してもよい。気体透過部は、水蒸気を透過させるが純水または水道水を透過させない有機高分子膜または無機多孔質膜を有してよい。気体透過部は、シリコーンゴムであってよい。この構成によっても通気孔１３５から液体が漏出することを抑制できる。例えば、通気孔１３５が保水性または吸水性を有する材料で覆われていない場合であっても、通気孔１３５から液体が漏出することを抑制できる。この場合、より多くの液体を貯留することができる。メガネ１００を衛生的に使用することもできる。
【００４４】
メガネ１００において、空洞１３２の内部に保水性または吸水性を有する材料が配されない場合について説明した。しかし、メガネ１００はこれに限定されない。フェルト、紙、海綿、スポンジ、吸水性ポリマー、ハイドロゲルなどの保水性または吸水性を有する材料が気体透過部の一部を構成してよい。空洞１３２の内部に、保水性または吸水性を有する材料が配されてよい。これにより、通気孔１３５の大きさが大きい場合であっても、空洞１３２から液体が漏出することを抑制できる。なお、この場合、保水性または吸水性を有する材料の上端は、空洞部に貯留される液体の液面よりも上方に配されることが好ましい。
【００４５】
保水性または吸水性を有する材料が空洞１３２の内部に配される場合には、空洞１３２の内部で保水性または吸水性を有する材料が占める体積は、空洞１３２の内部に保水性または吸水性を有する材料が配されない状態における空洞１３２の体積の半分より小さくてよい。これにより、空洞１３２により多くの液体を貯留することができる。
【００４６】
メガネ１００において、液体容器１３０がフレーム１２０の外側の面から開閉されて、液体容器１３０が開口１４０に収容される位置と液体容器１３０が開口１４０に収容されない位置との間で移動する場合について説明した。しかし、液体容器１３０が開閉される方向は、これに限定されない。例えば、液体容器１３０が、内側の面から開閉されてよい。液体容器１３０が、外側の面および内側の面の両面から開閉できてもよい。
【００４７】
メガネ１００において、液体容器１３０が、フレーム１２０の開口１４０に収容される場合について説明した。しかし、液体容器１３０を収容する収容部は、これに限定されない。例えば、液体容器１３０は、フレーム１２０に形成された凹部に収容されてもよい。例えば、フレーム１２０の内側または外側の面に凹部が形成されており、液体容器１３０が当該凹部に収容されてよい。例えば、液体容器１３０を収容する凹部は、フレーム１２０の内側の面に形成されてよい。この場合、液体容器１３０は、フレーム１２０の内側の面から開閉されてよい。液体容器１３０を収容する凹部は、フレーム１２０の外側の面に形成されてもよい。この場合、液体容器１３０は、フレーム１２０の外側の面から開閉されてよい。
【００４８】
メガネ１００において、液体容器１３０を収容する収容部が智部１２４に設けられる場合について説明した。しかし、収容部の位置は、これに限定されない。収容部がテンプルに形成されてもよい。
【００４９】
メガネ１００において、液体容器１３０をフレーム１２０に対して可動に支持する支軸を、智部１２４に対してテンプル１２６を可動に支持する支軸と共通化した場合について説明した。しかし、液体容器１３０をフレーム１２０に対して可動に支持する機構は、これに限定されない。液体容器１３０は、智部１２４に対してテンプル１２６を可動に支持する支軸とは異なる支軸により、フレーム１２０に対して可動に支持されてよい。例えば、メガネ１００は、液体容器１３０をフレーム１２０に対して可動に支持するヒンジと、テンプル１２６を智部１２４に対して可動に支持するヒンジとを有してよい。また、液体容器１３０は、ヒンジ機構以外の変位機構により、フレーム１２０に対して可動に支持されてもよい。
【００５０】
図７から図１１は、メガネ１００の他の形態におけるフレーム４２０および液体容器４３０を概略的に示す。図７から図１１は、メガネにおける左目側部分を含む範囲を主として示す。フレーム４２０はフレーム１２０に対応し、液体容器４３０は液体容器１３０に対応する。フレーム４２０および液体容器４３０に係る構成のうち、以上に説明したフレーム１２０および液体容器１３０が有する構成との相違点を主として説明し、フレーム１２０および液体容器１３０が有する構成と同様の構成については説明を省略する場合がある。
【００５１】
図７は、液体容器４３０がフレーム４２０に収容されていない状態を概略的に示す。図８、図９は、液体容器４３０がフレーム４２０に収容された状態を概略的に示す。図８は、フレーム４２０が折り曲げられた状態を概略的に示す。図９は、フレーム４２０が折り曲げられてない状態を概略的に示す。図１０は、フレーム４２０および液体容器４３０の斜視展開図を概略的に示す。図１１は、液体容器４３０がフレーム４２０から取り外され、蓋４３７が容器本体４３１から外された状態を概略的に示す。図１１に示されるように、液体容器４３０は、液体容器１３０とは異なり、フレーム４２０に対して液体容器４３０が着脱可能に設けられる。
【００５２】
液体容器４３０は、液体を保持する液体保持部の一例である。フレーム４２０の一部には、開口４４０が形成されている。液体容器４３０の少なくとも一部は、開口４４０に収容され得る。開口４４０は、液体容器４３０の少なくとも一部を収容する収容部の一例である。後に具体的に示すように、液体容器４３０は、ヒンジによって、液体容器４３０が開口４４０に収容される位置と液体容器４３０が開口４４０に収容されない位置との間で可動にフレーム４２０に支持される。
【００５３】
液体容器４３０には、液体容器４３０が開口４４０に収容されフレーム４２０が装着者の顔部に装着されている場合に顔部に対向する面である側面４３４に、通気孔１３５に対応する複数の通気孔４３５が形成されている。通気孔４３５は、容器本体４３１が有する空洞４３２まで貫通しており、気体を透過させるが液体を透過させない。液体容器４３０に保持された液体は気化して通気孔４３５を通じて装着者の顔部へ提供される。
【００５４】
フレーム４２０は、リム１２２に対応するリム４２２と、ブリッジ１２３に対応するブリッジ４２３と、智部１２４に対応する智部４２４と、ヒンジ支軸部材１５０に対応するヒンジ支軸部材４５０と、テンプル１２６に対応するテンプル４２６とを有する。フレーム４２０は、ノーズパッド１２１に対応するノーズパッドと、イヤーパッド１２８に対応するイヤーパッドをさらに有する。ブリッジ４２３は、一対のリム４２２の間に位置する。
【００５５】
リム４２２が、レンズの周囲から装着者方向に伸びるフード部材を有する。これにより、液体容器４３０から蒸発した気体が拡散することを抑制できる。智部４２４は、リム４２２の端部に配され、ヒンジ支軸部材４５０を介してテンプル４２６と結合する。一対のテンプル４２６は、装着者の頭部を挟み込む。
【００５６】
液体容器４３０は、容器本体１３１に対応する容器本体４３１と、蓋１３７に対応する蓋４３７とを有する。
【００５７】
液体容器４３０の内部には、液体を保持する空洞４３２が形成されている。空洞４３２は、空洞１３２に対応する。空洞４３２は、液体を貯留できる。空洞４３２に保持される液体としては、水を例示できる。空洞４３２の内面は撥水処理が施されていてもよい。空洞４３２の内面は抗菌処理が施されていてもよい。
【００５８】
液体容器４３０には、液体容器４３０が開口４４０に収容されていない状態で空洞４３２に液体を供給するための開口部が形成されている。開口部は、液体容器４３０が開口４４０に収容されている場合に、開口４４０の内面に対向する位置に形成されている。具体的には、開口部は、液体容器４３０の上部に形成されている。
【００５９】
蓋４３７は、液体容器４３０の上部の開口部を塞ぐ。蓋４３７には、挿入口１３８に対応する挿入口４３８が形成されている。挿入口４３８は、外部から空洞４３２まで貫通する液体供給口の一例である。挿入口４３８にはスポイト等の液体注入器具を挿入できる。液体容器４３０が開口４４０に収容されていない状態で、液体注入器具を挿入口４３８に挿入して、液体注入器具から液体を空洞４３２に供給することができる。一例として、挿入口４３８は、断面が直径３．５ｍｍの円形状を有する。挿入口４３８の断面の直径は、１ｍｍ以上７ｍｍ以下であってよい。挿入口４３８の断面の直径は、２ｍｍ以上５ｍｍ以下であることが好ましい。
【００６０】
蓋４３７は、軟性樹脂で形成されてよい。蓋４３７は、容器本体４３１が形成される材料より柔軟性が高い材料で形成されてよい。蓋４３７の材質は、天然ゴム、合成ゴム、シリコーンゴムなどのエラストマーであってよい。この場合、液体容器４３０がフレーム４２０の開口４４０に収容されたときに、開口４４０の内面および液体容器４３０の間に配された蓋４３７が両者を押圧するので、液体容器４３０が開口４４０から外れにくくなる。
【００６１】
蓋４３７は、液体容器４３０の上部の開口部に対して着脱可能に設けられてよい。使用者は、液体容器４３０が開口４４０に収容されていない状態で、液体容器４３０の上部の開口部から蓋４３７を取り外すことができる。蓋４３７を取り外すことで液体容器４３０の上部の開口部を露出させることができるので、露出させた開口部を通じて、液体注入器具を使用せずに空洞４３２へ液体を供給することもできる。また、露出させた上部の開口部を通じて、空洞４３２に保持されている液体を空洞４３２から外に排出することができる。そのため、空洞４３２に保持されている液体を容易に交換することができる。
【００６２】
液体容器４３０は、ヒンジ支軸部材４５０により、フレーム４２０に連結される。具体的には、液体容器４３０は、ヒンジ支軸部材４５０により、智部４２４に連結される。より具体的には、液体容器４３０は、ヒンジ支軸部材４５０により、智部４２４に対して可動に支持される。液体容器４３０の容器本体４３１は、ヒンジ支軸部材４５０が挿通される挿通部４３６を有する。ヒンジ支軸部材４５０は、液体容器４３０の挿通部４３６が有する挿通口４７４に挿通される。挿通部４３６は挿通部１３６に対応し、挿通口４７４は挿通口１７４に対応する。
【００６３】
挿通口４７４は、ヒンジ支軸部材４５０を回転自在に保持する。挿通部４３６は、ヒンジ支軸部材４５０の回転軸に沿うスリット部５１０を有する。スリット部５１０は、挿通口４７４と挿通部４３６の外部との間を連通する連通部を提供する。ヒンジ支軸部材４５０の回転軸に直交する断面においては、挿通口４７４の内周面は、スリット部５１０が形成された部分で離間している。
【００６４】
ヒンジ支軸部材４５０の回転軸に直交する断面において、挿通口４７４の直径は、ヒンジ支軸部材４５０の直径より大きい。ヒンジ支軸部材４５０の回転軸に直交する断面において、スリット部５１０の幅は、ヒンジ支軸部材４５０の直径より小さい。
【００６５】
液体容器４３０がフレーム４２０に装着された状態から液体容器４３０をフレーム４２０から取り外す場合、液体容器４３０を開いた状態で、挿通口４７４内のヒンジ支軸部材４５０がスリット部５１０に向かう向きの力を液体容器４３０に加えると、スリット部５１０はヒンジ支軸部材４５０によって押されて弾性的に押し拡げられる。ヒンジ支軸部材４５０は、拡がったスリット部５１０の間を通って、挿通部４３６から外れる。ヒンジ支軸部材４５０が挿通部４３６から外れると、スリット部５１０が元の位置に弾性復帰する。
【００６６】
液体容器４３０がフレーム４２０から取り外された状態から液体容器４３０をフレーム４２０に装着する場合、スリット部５１０をヒンジ支軸部材４５０に当接させ、ヒンジ支軸部材４５０が挿通口４７４に向かう向きの力を液体容器４３０に加えると、スリット部５１０はヒンジ支軸部材４５０によって押されて弾性的に押し拡げられる。ヒンジ支軸部材４５０は、拡がったスリット部５１０の間を通って挿通口４７４内に入り込む。そして、ヒンジ支軸部材４５０が挿通口４７４内に入り込むとスリット部５１０が元の位置に弾性復帰する。これにより、ヒンジ支軸部材４５０が挿通口４７４に回転自在に嵌合される。
【００６７】
液体容器４３０がフレーム４２０に装着されると、液体容器４３０は、ヒンジ支軸部材４５０が挿通口４７４に回転自在に嵌合した状態で、挿通口４７４の内周面がヒンジ支軸部材４５０の外周面に接しながらヒンジ支軸部材４５０のまわりを回転する。そのため、液体容器４３０を開閉する時にヒンジ支軸部材４５０がスリット部５１０から容易に抜けることがなく、スムーズに開閉することができる。
【００６８】
このように、液体容器４３０はフレーム４２０に対して着脱可能に設けられる。そのため、液体容器４３０を新しい液体容器に交換することができる。また、液体容器４３０をフレーム４２０から取り外して洗浄した後に、フレーム４２０に装着することもできる。したがって、メガネを衛生的に使用できる。
【００６９】
リム４２２には、ヒンジ支軸部材４５０が挿通される挿通部４６０が形成されている。ヒンジ支軸部材４５０は、挿通部４６０が有する挿通口４６２に挿通される。挿通部４６０は、挿通部１６０に対応する。挿通口４６２は挿通口１６２に対応する。
【００７０】
テンプル４２６には、ヒンジ支軸部材４５０が挿通される挿通部４７０が形成されている。ヒンジ支軸部材４５０は、挿通部４７０が有する挿通口４７２に挿通される。挿通部４７０は挿通部１７０に対応し、挿通口４７２は挿通口１７２に対応する。
【００７１】
このように、ヒンジ支軸部材４５０は、挿通口４６２、挿通口４７２および挿通口４７４に挿通される。ヒンジ支軸部材４５０は、上側の挿通部４６０から挿通される軸部材４５２と、下側の挿通部４６０から挿通される軸部材４５４とを有する。軸部材４５２は軸部材１５２に対応し、軸部材４５４は軸部材１５４に対応する。
【００７２】
軸部材４５４および軸部材４５２には、各挿通口に挿通される挿通部と、挿通口４６２より大きい頭部とを有する。軸部材４５４は、軸部材４５４の挿通部の少なくとも一部が軸部材４５２の挿通部内に収容されて組み付けられる。軸部材４５２は、各挿通口に挿通部が挿通されて、軸部材４５４とともにヒンジ支軸部材４５０として智部４２４に組み付けられる。
【００７３】
ヒンジ支軸部材４５０および挿通部４３６は、液体容器４３０をフレーム４２０に対して可動に支持するヒンジ機構を提供する。当該ヒンジ機構により、液体容器４３０は、智部４２４およびテンプル４２６の双方に対して可動に支持される。具体的には、液体容器４３０は、テンプル４２６および智部４２４に対して、ヒンジ支軸部材４５０の回りに独立して回転する。したがって、液体容器４３０は、ヒンジ支軸部材４５０の周りを回転して、開口４４０に収容される位置と収容されない位置との間で移動できる。このように、当該ヒンジ機構は、液体容器４３０を、液体容器４３０が開口４４０に収容される位置と液体容器４３０が開口４４０に収容されない位置との間で可動にフレーム４２０に支持する。そのため、液体容器４３０に保持させる液体の注入や交換が容易な形で、液体容器４３０をフレームに支持することができる。また、液体容器４３０がフレーム４２０から外れにくく、液体容器４３０を紛失してしまう可能性を低減できる。
【００７４】
ヒンジ支軸部材４５０および挿通部４７０は、テンプル４２６を智部４２４に対して可動に支持するヒンジ機構を提供する。当該ヒンジ機構により、テンプル４２６は、図７、図８、図１１に例示したように、テンプル４２６が智部４２４に対して折り曲げられた状態と、図９に例示したようにテンプル４２６が智部４２４に対して折り曲げられていない状態との間で可動に智部４２４に支持される。
【００７５】
このように、開口４４０は、フレーム４２０の智部４２４に形成されており、テンプル４２６は、当該ヒンジによって、智部４２４に対して可動に支持される。液体容器４３０およびテンプル４２６は、当該ヒンジによって共通のヒンジ支軸部材４５０の周りに回転可能に支持される。そのため、ヒンジの支軸を共通化することができ、ヒンジの支軸を共通化しない場合と比較して、部品点数を削減できる。ヒンジの支軸を共通化しない場合と比較して、ヒンジ機構を小型化することができ、ひいては液体を保持するスペースをより大きく確保できる。
【００７６】
上述したヒンジ機構により、液体容器４３０およびテンプル４２６は、ヒンジ支軸部材４５０の回りに独立して回転できる。例えば、液体容器４３０が開口４４０に収容された状態にしたまま、テンプル４２６を智部４２４に対して折り曲げることができる。テンプル４２６を智部４２４に対して折り曲げても、液体容器４３０は智部４２４に対して容易には移動しない。テンプル４２６が智部４２４に対して折り曲げられた状態で、液体容器４３０をヒンジ支軸部材４５０の周りに回転させることで、液体容器４３０を開口４４０から引き出すことができる。
【００７７】
テンプル４２６が智部４２４に対して折り曲げられていない場合、テンプル４２６の智部側側面４８４は、液体容器４３０の容器本体４３１のテンプル側側面４８６に当接する。したがって、テンプル４２６が智部４２４に対して折り曲げられていない場合、液体容器４３０は開口４４０から容易には外れない。したがって、メガネが装着者に装着されている場合、液体容器４３０は開口４４０から容易には外れない。
【００７８】
液体容器４３０が開口４４０に収容されている場合、液体容器４３０は、液体容器４３０が配されたフレーム４２０が顔部に装着された場合に顔部に対向する側に配されることになる側面４３４と、側面４３４に対向して外側に配される側面４３３とを有する。側面４３４および側面４３３は、フレーム４２０の側面に沿った形状を有してよい。例えば、側面４３４および側面４３３は、智部４２４の側面に沿った形状を有してよい。側面４３３は、テンプル４２６の外側面４８２に沿った形状を有してよい。側面４３４は、テンプル４２６において外側面４８２とは反対側の面である内側面４８１に沿った形状を有してよい。側面４３４および側面４３３は、フレーム４２０の対応する側面よりもフレーム４２０の内側に配されてもよい。側面４３３は智部４２４の外側の側面に沿った形状を有し、側面４３４は、智部４２４の内側の側面よりも内側に配されてもよい。
【００７９】
通気孔４３５は、側面４３４において２行５列のマトリクス状に設けられる。通気孔４３５は、液体容器４３０が開口４４０に収容されフレーム４２０が顔部に装着されている場合に、空洞４３２から顔部へ気体を透過させる気体透過部の一例である。具体的には、通気孔４３５は、空洞４３２から側面４３４まで液体を透過させないが、気体を透過させる。一例として、通気孔４３５は、側面４３４に平行な面における断面において直径１ｍｍの円形状を有する。
【００８０】
これにより、通気孔４３５から液体が漏出することを抑制できる。例えば、通気孔４３５がフェルト、紙、海綿、スポンジ、吸水性ポリマー、ハイドロゲルのような保水性または吸水性を有する材料で覆われていない場合や、空洞４３２が保水性または吸水性を有する材料の充填材で充填されていない場合であっても、通気孔４３５から液体が漏出することを抑制できる。したがって、充填材を使用することなく、液体容器４３０の内部に液体を貯留することができる。そのため、液体容器４３０の内部に全体的に充填材が充填されている場合と比較して、より多くの液体を貯留することができる。さらに、液体容器４３０の内部に、充填材が充填されていない場合であっても、通気孔４３５から液体が漏出することを抑制できるので、メガネを衛生的に使用することもできる。
【００８１】
なお、液体容器４３０は、蓋４３７を有しなくてもよい。液体容器４３０が開口４４０に収容されている場合に、開口４４０の内面で空洞４３２の開口部を実質的に塞ぐことができれば、蓋４３７を有していなくても、空洞４３２に保持している液体が外に漏れ出すことを抑制できる。
【００８２】
また、挿入口４３８の断面形状は非円形であってよい。例えば、液体容器４３０の変形例として、図５に関連して説明した液体容器１３０に係る構成と同様の構成を採用できる。
【００８３】
また、蓋４３７には、挿入口４３８に連通するスリットが設けられてよい。例えば、液体容器４３０の変形例として、図６に関連して説明した液体容器１３０に係る構成と同様の構成を採用できる。
【００８４】
液体容器４３０、液体容器２３０および液体容器３３０において、通気孔４３５の断面が円形状である場合について説明した。また、複数の通気孔４３５がマトリクス状に整列して設けられる場合について説明した。しかし、通気孔４３５の形状、数および配置は、これらに限定されない。例えば、通気孔４３５は１つであってよい。すなわち、通気孔４３５は１以上設けられてよい。複数の通気孔４３５が配される場合、複数の通気孔４３５が整列して設けられなくてもよい。通気孔４３５の形状、数および配置は、空洞４３２から側面４３４まで気体を透過させるが、液体を透過させないように決定されてよい。
【００８５】
通気孔４３５の形状は、空洞４３２からフレーム４２０の内側の面まで水蒸気を透過させるが、純水または水道水を透過させないように決定されてよい。通気孔４３５の形状としては、通気孔４３５の断面形状、断面の大きさ、および、空洞４３２側の面からフレーム４２０の内側の面までの通気孔４３５の距離を例示することができる。通気孔４３５が水蒸気を透過させるか否かは、ＪＩＳ  Ｚ０２０８で定められた透湿度試験方法（カップ法）またはＪＩＳ  Ｋ７１２９で定められた透湿度試験方法（Ｌｙｓｓｙ法など）により、試験片を通過する水蒸気の量を測定することで決定してよい。試験片に通気孔４３５を設けた場合の水蒸気透過量が、試験片に通気孔４３５を設けなかった場合の水蒸気透過量よりも大きい場合に、通気孔４３５が水蒸気を透過させると判断してよい。
【００８６】
通気孔４３５が純水または水道水を透過させるか否かは、通気孔４３５の空洞４３２側の開口と、通気孔４３５のフレーム４２０の内側の面側の開口との間に、９．８０６Ｐａ以下の圧力差を設けた状態で１０分間静置した場合に、純水または水道水が通気孔４３５を透過するか否かにより判断してよい。純水または水道水が通気孔４３５を透過したか否かは、目視により液体の水の漏出を確認することにより決定してよい。好ましくは、上記の圧力差が９．８０６Ｐａより大きく４９．０３Ｐａ以下であることが好ましく、より好ましくは、上記の圧力差が４９．０３Ｐａより大きく９８．０６Ｐａ以下であることが好ましく、さらに好ましくは、上記の圧力差が９８．０６Ｐａより大きく２９４．１８Ｐａ以下であることが好ましい。
【００８７】
通気孔４３５の断面形状が円形である場合、通気孔４３５の直径は０．１ｍｍ以上１．５ｍｍ以下、好ましくは０．３ｍｍ以上１．２ｍｍ以下、より好ましくは０．５ｍｍ以上１ｍｍ以下であってよい。通気孔４３５の断面形状が楕円形である場合、通気孔４３５の長径は０．１ｍｍ以上１．７ｍｍ以下、好ましくは０．５ｍｍ以上１．４ｍｍ以下、より好ましくは０．７ｍｍ以上１．２ｍｍ以下であってよい。空洞４３２側の面からフレーム４２０の内側の面までの通気孔４３５の距離は、０．１ｍｍ以上１．５ｍｍ以下、好ましくは０．３ｍｍ以上１．２ｍｍ以下、より好ましくは０．５ｍｍ以上１ｍｍ以下であってよい。
【００８８】
複数の通気孔４３５の体積を合計した値は、空洞４３２の体積より小さくてよい。ここで、空洞４３２の内部に充填材が配される場合には、空洞４３２の内部で充填材が占めている部分の体積は、空洞４３２の体積に含まれない。
【００８９】
通気孔４３５は、液体容器４３０が配されたフレーム４２０が顔部に装着された場合に水面となる位置よりも上側の位置に配されてもよい。なお、通気孔４３５の大きさが十分小さい場合には、液体容器４３０が配されたフレーム４２０が顔部に装着された場合に水面となる位置よりも下側の位置に、通気孔４３５が配されてもよい。
【００９０】
以上の構成により、空洞４３２に貯留された液体が気化して発生した気体が、通気孔４３５を透過してフレーム４２０の内側に供給される。また、通気孔４３５は空洞４３２に貯留された液体を透過させないので、装着者の顔部に液体が飛散することを抑制できる。
【００９１】
本実施形態において、気体透過部が、通気孔４３５である場合について説明した。しかし、気体透過部はこれに限定されない。気体透過部は、気体を透過させるが液体を透過させない有機高分子膜または無機多孔質膜を有してもよい。気体透過部は、水蒸気を透過させるが純水または水道水を透過させない有機高分子膜または無機多孔質膜を有してよい。気体透過部は、シリコーンゴムであってよい。この構成によっても通気孔４３５から液体が漏出することを抑制できる。例えば、通気孔４３５が保水性または吸水性を有する材料で覆われていない場合であっても、通気孔４３５から液体が漏出することを抑制できる。この場合、より多くの液体を貯留することができる。また、メガネを衛生的に使用することもできる。
【００９２】
液体容器４３０において、空洞４３２の内部に保水性または吸水性を有する材料が配されない場合について説明した。しかし、液体容器４３０はこれに限定されない。フェルト、紙、海綿、スポンジ、吸水性ポリマー、ハイドロゲルなどの保水性または吸水性を有する材料が気体透過部の一部を構成してよい。空洞４３２の内部に、保水性または吸水性を有する材料が配されてよい。これにより、通気孔４３５の大きさが大きい場合であっても、空洞４３２から液体が漏出することを抑制できる。なお、この場合、保水性または吸水性を有する材料の上端は、空洞部に貯留される液体の液面よりも上方に配されることが好ましい。
【００９３】
保水性または吸水性を有する材料が空洞４３２の内部に配される場合には、空洞４３２の内部で保水性または吸水性を有する材料が占める体積は、空洞４３２の内部に保水性または吸水性を有する材料が配されない状態における空洞４３２の体積の半分より小さくてよい。これにより、空洞４３２により多くの液体を貯留することができる。
【００９４】
液体容器４３０を開閉する構成として、液体容器４３０がフレーム４２０の外側の面から開閉されて、液体容器４３０が開口４４０に収容される位置と液体容器４３０が開口４４０に収容されない位置との間で移動する場合について説明した。しかし、液体容器４３０が開閉される方向は、これに限定されない。例えば、液体容器４３０が、内側の面から開閉されてよい。液体容器４３０が、外側の面および内側の面の両面から開閉できてもよい。
【００９５】
液体容器４３０を収容する構成として、フレーム４２０の開口４４０に液体容器４３０が収容される場合について説明した。しかし、液体容器４３０を収容する収容部は、これに限定されない。例えば、液体容器４３０は、フレーム４２０に形成された凹部に収容されてもよい。例えば、フレーム４２０の内側または外側の面に凹部が形成されており、液体容器４３０が当該凹部に収容されてよい。例えば、液体容器４３０を収容する凹部は、フレーム４２０の内側の面に形成されてよい。この場合、液体容器４３０は、フレーム４２０の内側の面から開閉されてよい。液体容器４３０を収容する凹部は、フレーム４２０の外側の面に形成されてもよい。この場合、液体容器４３０は、フレーム４２０の外側の面から開閉されてよい。
【００９６】
液体容器４３０において、液体容器４３０を収容する収容部が智部４２４に設けられる場合について説明した。しかし、収容部の位置は、これに限定されない。収容部がテンプルに形成されてもよい。
【００９７】
液体容器４３０において、液体容器４３０をフレーム４２０に対して可動に支持する支軸を、智部４２４に対してテンプル４２６を可動に支持する支軸と共通化した場合について説明した。しかし、液体容器４３０をフレーム４２０に対して可動に支持する機構は、これに限定されない。液体容器４３０は、智部４２４に対してテンプル４２６を可動に支持する支軸とは異なる支軸により、フレーム４２０に対して可動に支持されてよい。例えば、フレーム４２０は、液体容器４３０をフレーム４２０に対して可動に支持するヒンジと、テンプル４２６を智部４２４に対して可動に支持するヒンジとを有してよい。また、液体容器４３０は、ヒンジ機構以外の変位機構により、フレーム４２０に対して可動に支持されてもよい。
【００９８】
以上に説明した実施形態において、容器本体１３１および容器本体４３１は、弾性樹脂等の弾性材料で形成された弾性部材であってよい。例えば、容器本体１３１および容器本体４３１は、ポリアミド樹脂で形成される。具体的には、容器本体１３１および容器本体４３１は、グリルアミド（登録商標）ＴＲ−９０で形成されてよい。容器本体１３１および容器本体４３１は、硬性樹脂等の硬性材料で形成された硬性部材であってもよい。蓋１３７は、容器本体１３１を形成する材料と同じ材料で形成されてよい。蓋４３７は、容器本体４３１を形成する材料と同じ材料で形成されてよい。
【００９９】
図１２から図１５は、メガネ１００の他の形態におけるフレーム７２０および液体容器７３０を概略的に示す。図１２から図１５は、メガネにおける左目側部分を含む範囲を主として示す。フレーム７２０はフレーム４２０に対応し、液体容器７３０は液体容器４３０に対応する。液体容器７３０が有する容器本体７３１は、液体容器４３０が有する容器本体４３１に対応する。液体容器７３０が有する蓋７３７は、液体容器４３０が有する蓋４３７に対応する。
【０１００】
フレーム７２０は、フレーム４２０の液体容器４３０とは異なる液体容器７３０を有する。例えば、液体容器７３０の蓋７３７は、フレーム４２０の蓋４３７とは異なる。少なくともこの点で、フレーム７２０はフレーム４２０と相違する。フレーム７２０が有する他の構成要素は、フレーム４２０が有する対応する構成要素と同様の構成を有してよい。
【０１０１】
フレーム７２０および液体容器７３０に係る構成のうち、上述したフレーム４２０および液体容器４３０が有する構成との相違点を主として説明し、フレーム４２０および液体容器４３０が有する構成と同様の構成については説明を省略する場合がある。
【０１０２】
図１２は、液体容器７３０がフレーム７２０に収容されていない状態を概略的に示す。図１２では、フレーム７２０が折り曲げられた状態が概略的に示されている。図１３は、液体容器７３０がフレーム７２０から取り外された状態を概略的に示す。図１４および図１５は、蓋７３７の斜視図を示す。
【０１０３】
液体容器７３０は、液体を保持する液体保持部の一例である。フレーム７２０の一部には開口７４０が形成され、液体容器７３０の少なくとも一部は、開口７４０に収容され得る。開口７４０は、液体容器７３０の少なくとも一部を収容する収容部の一例である。液体容器４３０と同様に、液体容器７３０は、ヒンジによって、液体容器７３０が開口７４０に収容される位置と液体容器７３０が開口７４０に収容されない位置との間で可動にフレーム７２０に支持される。
【０１０４】
液体容器７３０には、液体容器７３０が開口７４０に収容されフレーム７２０が装着者の顔部に装着されている場合に顔部に対向する面である側面７３４に、通気孔４３５に対応する複数の通気孔７３５が形成されている。通気孔７３５は、容器本体７３１が内部に有する空洞まで貫通しており、気体を透過させるが液体を透過させない。液体容器７３０に保持された液体は気化して通気孔７３５を通じて装着者の顔部へ提供される。
【０１０５】
フレーム７２０は、リム４２２に対応するリム７２２と、ブリッジ４２３に対応するブリッジ７２３と、智部４２４に対応する智部７２４と、ヒンジ支軸部材４５０に対応するヒンジ支軸部材７５０と、テンプル４２６に対応するテンプル７２６とを有する。フレーム７２０は、フレーム４２０が有するノーズパッドと同様のノーズパッドを有する。フレーム７２０は、フレーム４２０が有するイヤーパッドと同様のイヤーパッドをさらに有する。ブリッジ７２３は、一対のリム７２２の間に位置する。
【０１０６】
リム７２２は、レンズの周囲から装着者方向に伸びるフード部材を有する。これにより、液体容器７３０から蒸発した気体が拡散することを抑制できる。智部７２４は、リム７２２の端部に配され、ヒンジ支軸部材７５０を介してテンプル７２６と結合する。一対のテンプル７２６は、装着者の頭部を挟み込む。
【０１０７】
液体容器７３０は、容器本体７３１と、蓋７３７とを有する。容器本体４３１と同様、容器本体７３１は、弾性樹脂等の弾性材料で形成された弾性部材であってよい。例えば、容器本体７３１は、ポリアミド樹脂で形成される。具体的には、容器本体７３１は、グリルアミド（登録商標）ＴＲ−９０で形成されてよい。容器本体７３１は、硬性樹脂等の硬性材料で形成された硬性部材であってもよい。
【０１０８】
液体容器７３０の内部には、液体容器４３０の空洞４３２に対応する、液体を保持する空洞が形成されている。本実施形態において、「液体容器７３０の空洞」とは、液体容器４３０の空洞４３２に対応する空洞のことを指す。液体容器４３０の空洞４３２と同様に、液体容器７３０の空洞は、液体を貯留できる。液体容器７３０の空洞に保持される液体としては、水を例示できる。液体容器７３０の空洞の内面は撥水処理が施されていてもよい。液体容器７３０の空洞の内面は抗菌処理が施されていてもよい。
【０１０９】
液体容器４３０と同様に、液体容器７３０には、液体容器７３０が開口７４０に収容されていない状態で、液体容器７３０の空洞に液体を供給するための開口部が形成されている。当該開口部は、液体容器７３０が開口７４０に収容されている場合に、開口７４０の内面に対向する位置に形成されている。具体的には、当該開口部は、液体容器７３０の上部に形成されている。なお、当該開口部のことを、液体容器７３０の「上部の開口部」と呼ぶ場合がある。
【０１１０】
蓋７３７は、液体容器７３０の上部の開口部を塞ぐ。蓋７３７には、挿入口７３８が形成されている。挿入口７３８は、外部から液体容器７３０の空洞まで貫通する液体供給口の一例である。挿入口７３８にはスポイト等の液体注入器具を挿入できる。液体容器７３０が開口７４０に収容されていない状態で、液体注入器具を挿入口７３８に挿入して、液体注入器具から液体を液体容器７３０の空洞に供給することができる。
【０１１１】
蓋７３７は、ゴム弾性を有する材料で形成されてよい。例えば、蓋７３７は、ラバー等のエラストマーで形成されてよい。蓋７３７の材質は、天然ゴム、合成ゴム、シリコーンゴム等であってよい。液体容器７３０がフレーム７２０の開口７４０に収容されたときに、開口７４０の内面および液体容器７３０の間に配された蓋７３７が両者を押圧するので、液体容器７３０が開口７４０から外れにくくなる。また、開口７４０の内面と蓋７３７の上部面８００とが密着するので、液体容器７３０の空洞に保持された液体が、蓋７３７の隙間から液体容器７３０の外に漏れることを抑止することができる。
【０１１２】
蓋７３７は、液体容器７３０の上部の開口部に対して着脱可能に設けられてよい。使用者は、液体容器７３０が開口７４０に収容されていない状態で、液体容器７３０の上部の開口部から蓋７３７を取り外すことができる。蓋７３７を取り外すことで液体容器７３０の上部の開口部を露出させることができるので、露出させた開口部を通じて、液体注入器具を使用せずに液体容器７３０の空洞へ液体を供給することもできる。また、露出させた上部の開口部を通じて、液体容器７３０の空洞に保持されている液体を、液体容器７３０の空洞から外に排出することができる。そのため、液体容器７３０の空洞に保持されている液体を容易に交換することができる。
【０１１３】
液体容器７３０は、ヒンジ支軸部材７５０により、フレーム７２０に連結される。具体的には、液体容器７３０は、ヒンジ支軸部材７５０により、智部７２４に連結される。より具体的には、液体容器７３０は、ヒンジ支軸部材７５０により、智部７２４に対して可動に支持される。液体容器７３０の容器本体７３１は、ヒンジ支軸部材７５０が挿通される挿通部７３６を有する。ヒンジ支軸部材７５０は、液体容器７３０の挿通部７３６が有する挿通口７７４に挿通される。挿通部７３６は挿通部４３６に対応し、挿通口７７４は挿通口４７４に対応する。
【０１１４】
挿通口７７４は、ヒンジ支軸部材７５０を回転自在に保持する。挿通部７３６は、ヒンジ支軸部材７５０の回転軸に沿うスリット部７１０を有する。スリット部７１０は、挿通口７７４と挿通部７３６の外部との間を連通する連通部を提供する。ヒンジ支軸部材７５０の回転軸に直交する断面においては、挿通口７７４の内周面は、スリット部７１０が形成された部分で離間している。
【０１１５】
ヒンジ支軸部材７５０の回転軸に直交する断面において、挿通口７７４の直径は、ヒンジ支軸部材７５０の直径より大きい。ヒンジ支軸部材７５０の回転軸に直交する断面において、スリット部７１０の幅は、ヒンジ支軸部材７５０の直径より小さい。
【０１１６】
液体容器７３０がフレーム７２０に装着された状態から液体容器７３０をフレーム７２０から取り外す場合、液体容器７３０を開いた状態で、挿通口７７４内のヒンジ支軸部材７５０がスリット部７１０に向かう向きの力を液体容器７３０に加えると、スリット部７１０はヒンジ支軸部材７５０によって押されて弾性的に押し拡げられる。ヒンジ支軸部材７５０は、拡がったスリット部７１０の間を通って、挿通部７３６から外れる。ヒンジ支軸部材７５０が挿通部７３６から外れると、スリット部７１０が元の位置に弾性復帰する。
【０１１７】
液体容器７３０がフレーム７２０から取り外された状態から液体容器７３０をフレーム７２０に装着する場合、スリット部７１０をヒンジ支軸部材７５０に当接させ、ヒンジ支軸部材７５０が挿通口７７４に向かう向きの力を液体容器７３０に加えると、スリット部７１０はヒンジ支軸部材７５０によって押されて弾性的に押し拡げられる。ヒンジ支軸部材７５０は、拡がったスリット部７１０の間を通って挿通口７７４内に入り込む。そして、ヒンジ支軸部材７５０が挿通口７７４内に入り込むとスリット部７１０が元の位置に弾性復帰する。これにより、ヒンジ支軸部材７５０が挿通口７７４に回転自在に嵌合される。
【０１１８】
液体容器７３０がフレーム７２０に装着されると、液体容器７３０は、ヒンジ支軸部材７５０が挿通口７７４に回転自在に嵌合した状態で、挿通口７７４の内周面がヒンジ支軸部材７５０の外周面に接しながらヒンジ支軸部材７５０のまわりを回転する。そのため、液体容器７３０を開閉する時にヒンジ支軸部材７５０がスリット部７１０から容易に抜けることがなく、スムーズに開閉することができる。
【０１１９】
このように、液体容器７３０はフレーム７２０に対して着脱可能に設けられる。そのため、液体容器７３０を新しい液体容器に交換することができる。また、液体容器７３０をフレーム７２０から取り外して洗浄した後に、フレーム７２０に装着することもできる。したがって、メガネを衛生的に使用できる。
【０１２０】
リム７２２には、ヒンジ支軸部材７５０が挿通される挿通部が形成されている。リム７２２の挿通部は、リム４２２の挿通部４６０に対応し、挿通部４６０と同様の構成を有するので、リム７２２の挿通部の詳細については説明を省略する。テンプル７２６には、ヒンジ支軸部材７５０が挿通される挿通部が形成されている。テンプル７２６の挿通部は、テンプル４２６の挿通部４７０に対応し、挿通部４７０と同様の構成を有するので、テンプル７２６の挿通部の詳細については説明を省略する。また、ヒンジ支軸部材７５０は、ヒンジ支軸部材４５０の軸部材４５２と同様の軸部材と、ヒンジ支軸部材４５０の軸部材４５４と同様の軸部材とを有するので、ヒンジ支軸部材７５０の詳細については説明を省略する。
【０１２１】
ヒンジ支軸部材７５０および挿通部７３６は、液体容器７３０をフレーム７２０に対して可動に支持するヒンジ機構を提供する。当該ヒンジ機構により、液体容器７３０は、智部７２４およびテンプル７２６の双方に対して可動に支持される。具体的には、液体容器７３０は、テンプル７２６および智部７２４に対して、ヒンジ支軸部材７５０の回りに独立して回転する。したがって、液体容器７３０は、ヒンジ支軸部材７５０の周りを回転して、開口７４０に収容される位置と収容されない位置との間で移動できる。このように、当該ヒンジ機構は、液体容器７３０を、液体容器７３０が開口７４０に収容される位置と液体容器７３０が開口７４０に収容されない位置との間で可動にフレーム７２０に支持する。そのため、液体容器７３０に保持させる液体の注入や交換が容易な形で、液体容器７３０をフレームに支持することができる。また、液体容器７３０がフレーム７２０から外れにくく、液体容器７３０を紛失してしまう可能性を低減できる。
【０１２２】
ヒンジ支軸部材７５０およびテンプル７２６の挿通部は、テンプル７２６を智部７２４に対して可動に支持するヒンジ機構を提供する。当該ヒンジ機構により、テンプル７２６は、図１２、図１３に例示したように、テンプル７２６が智部７２４に対して折り曲げられた状態と、テンプル７２６が智部７２４に対して折り曲げられていない状態との間で可動に智部７２４に支持される。
【０１２３】
このように、開口７４０は、フレーム７２０の智部７２４に形成されており、テンプル７２６は、当該ヒンジによって、智部７２４に対して可動に支持される。液体容器７３０およびテンプル７２６は、当該ヒンジによって共通のヒンジ支軸部材７５０の周りに回転可能に支持される。そのため、ヒンジの支軸を共通化することができ、ヒンジの支軸を共通化しない場合と比較して、部品点数を削減できる。ヒンジの支軸を共通化しない場合と比較して、ヒンジ機構を小型化することができ、ひいては液体を保持するスペースをより大きく確保できる。
【０１２４】
上述したヒンジ機構により、液体容器７３０およびテンプル７２６は、ヒンジ支軸部材７５０の回りに独立して回転できる。例えば、液体容器７３０が開口７４０に収容された状態にしたまま、テンプル７２６を智部７２４に対して折り曲げることができる。テンプル７２６を智部７２４に対して折り曲げても、液体容器７３０は智部７２４に対して容易には移動しない。テンプル７２６が智部７２４に対して折り曲げられた状態で、液体容器７３０をヒンジ支軸部材７５０の周りに回転させることで、液体容器７３０を開口７４０から引き出すことができる。
【０１２５】
液体容器７３０が開口７４０に収容されている場合、液体容器７３０は、液体容器７３０が配されたフレーム７２０が顔部に装着された場合に顔部に対向する側に配されることになる側面７３４と、側面７３４に対向して外側に配される側面７３３とを有する。側面７３４は、液体容器４３０の側面４３４に対応し、側面４３４と同様の構成を有する。側面７３３は、液体容器４３０の側面４３３に対応し、側面４３３と同様の構成を有する。そのため、液体容器７３０の側面７３３および側面７３４の詳細については説明を省略する。
【０１２６】
通気孔７３５は、側面７３４においてマトリクス状に設けられる。例えば、通気孔７３５は、側面７３４において、２行７列のマトリクス状に設けられる。通気孔７３５は、液体容器７３０が開口７４０に収容されフレーム７２０が顔部に装着されている場合に、液体容器７３０の空洞から顔部へ気体を透過させる気体透過部の一例である。具体的には、通気孔７３５は、液体容器７３０の空洞から側面７３４まで液体を透過させないが、気体を透過させる。一例として、通気孔７３５は、側面７３４に平行な面における断面において直径１ｍｍの円形状を有する。
【０１２７】
これにより、通気孔７３５から液体が漏出することを抑制できる。例えば、通気孔７３５がフェルト、紙、海綿、スポンジ、吸水性ポリマー、ハイドロゲルのような保水性または吸水性を有する材料で覆われていない場合や、液体容器７３０の空洞が保水性または吸水性を有する材料の充填材で充填されていない場合であっても、通気孔７３５から液体が漏出することを抑制できる。したがって、充填材を使用することなく、液体容器７３０の内部に液体を貯留することができる。そのため、液体容器７３０の内部に全体的に充填材が充填されている場合と比較して、より多くの液体を貯留することができる。さらに、液体容器７３０の内部に、充填材が充填されていない場合であっても、通気孔７３５から液体が漏出することを抑制できるので、メガネを衛生的に使用することもできる。
【０１２８】
蓋７３７に係る構成について説明する。蓋７３７は、上部面８００と、下部面８４０と、第１側部８８１と、第２側部８８２とを有する。下部面８４０は、上部面８００の反対側の面である。下部面８４０の一部は、液体容器７３０の空洞の一部を画定する。
【０１２９】
第１側部８８１および第２側部８８２は、蓋７３７の外周の一部分を画定する。第１側部８８１は、液体容器７３０が開口７４０に収容されフレーム７２０が装着者の顔部に装着されている場合に、顔部に対向する部分である。第１側部８８１は、側面７３４に沿った面を有する。第２側部８８２は、第１側部８８１の反対側の部分である。
【０１３０】
蓋７３７の上部面８００には、凹部８０４が形成されている。凹部８０４は、側面部８０２と底部８０３とを有する。
【０１３１】
挿入口７３８は、凹部８０４に形成されている。具体的には、挿入口７３８は、凹部８０４の底部８０３から下部面８４０まで貫通している。
【０１３２】
挿入口７３８は、第１開口８１０と、第２開口８２０とを有する。第１開口８１０は、凹部８０４の底部８０３に形成されている。第２開口８２０は、下部面８４０に形成され、第１開口８１０と連通している。第１開口８１０の中心は、第２開口８２０の中心に略一致している。
【０１３３】
第２開口８２０の断面の大きさは、第１開口８１０の断面の大きさより小さい。具体的には、第２開口８２０の断面の面積が、第１開口８１０の断面の面積より小さい。
【０１３４】
第１開口８１０は円形状を有する。第２開口８２０は円形状を有する。第２開口８２０の断面の直径は、第１開口８１０の断面の直径より小さい。例えば、第１開口８１０の断面の直径は２．８ｍｍであり、第２開口８２０の断面の直径は１．５ｍｍである。
【０１３５】
第１開口８１０の断面形状が円形である場合を取り上げて第１開口８１０の断面の大きさの範囲を説明すると、第１開口８１０の断面の直径は、２ｍｍ以上７ｍｍ以下であることが好ましい。第１開口８１０の断面の直径は、２ｍｍ以上４ｍｍ以下であることがより好ましい。
【０１３６】
第２開口８２０の断面形状が円形である場合を取り上げて第２開口８２０の断面の大きさの範囲を説明すると、第２開口８２０の断面の直径は、２．５ｍｍ以下であることが好ましい。第２開口８２０の断面の直径は、２ｍｍ以下であることがより好ましい。第２開口８２０の断面の直径は、１．５ｍｍ以下であってよい。
【０１３７】
なお、第１開口８１０および第２開口８２０の少なくとも一方の開口の断面形状は、非円形であってよい。開口の断面形状が非円形の場合でも、開口の断面の面積は、上述した直径の範囲で定まる面積の範囲内であることが好ましい。
【０１３８】
このように、第１開口８１０の断面が第２開口８２０の断面より大きいので、液体容器７３０の空洞に液体を供給する場合に、液体注入器具等を用いて、挿入口７３８から液体容器７３０の空洞に液体を供給し易い。また、第２開口８２０の断面が第１開口８１０の断面より小さいので、液体容器７３０の空洞に液体が保持されている場合において、液体容器７３０の空洞に保持されている液体が挿入口７３８を通じて液体容器７３０の外に漏れ出ることを抑制できる。例えば、液体容器７３０が揺さぶられる等して液体容器７３０の空洞内の液体が飛び跳ねた場合でも、挿入口７３８を通じて液体が液体容器７３０の外に漏れ出ることを抑制できる。また、液体容器７３０が傾けられた場合でも、液体容器７３０の空洞内の液体が挿入口７３８を通じて液体容器７３０の外に漏れ出ることを抑制できる。また、上部面８００と開口７４０との密着度が小さくなっても、液体容器７３０の空洞内の液体が挿入口７３８を通じて液体容器７３０の外に漏れ出ることを抑制できる。また、第１開口８１０の断面が第２開口８２０の断面より大きいので、第１開口８１０の近くに布や髪の毛等の物が接触した場合でも、液体容器７３０の空洞に保持されている液体が物体に吸い出されることを抑制できる。
【０１３９】
上部面８００の凹部８０４は、第１側部８８１まで延伸している。そのため、第１側部８８１と上部面８００との境界は、凹部８０４の形状に沿った段差形状を有する。そのため、第１側部８８１は、液体容器７３０の側面７３４に沿った断面において、挿入口７３８と連通する開口を有する。このように、第１側部８８１は、凹部８０４に連通する開口を有するので、液体容器７３０が開口７４０に収容されて蓋７３７の上部面８００がフレーム７２０と密着している場合でも、液体容器７３０の空洞は、挿入口７３８を通じて液体容器７３０の外部と連通する。このため、液体容器７３０の空洞と液体容器７３０の外部との間の空気の流動性が高まり、液体容器７３０の空洞に保持されている液体の蒸発量を高めることができる。
【０１４０】
底部８０３からの側面部８０２の高さは０．３ｍｍである。したがって、凹部８０４は０．３ｍｍの深さを有する。なお、側面部８０２の高さは、０．１ｍｍ以上１ｍｍ以下であることが好ましい。側面部８０２の高さは、０．２ｍｍ以上０．５ｍｍ以下であることがより好ましい。
【０１４１】
上述したように上部面８００の凹部８０４は第１側部８８１まで延伸して形成されているが、第２側部８８２までは延伸していない。そのため、液体容器７３０の空洞に保持されている液体が蒸発して、挿入口７３８を通って、フレーム７２０の装着者に対向しない側から外に出ることを抑制できる。
【０１４２】
上述したように、蓋７３７における第２開口８２０の断面の大きさは、第１開口８１０の断面の大きさより小さい。しかし、第１開口８１０の断面の大きさが、第２開口８２０の断面の大きさより小さくてもよい。
【０１４３】
蓋７３７の下部面８４０から上部面８００までの厚みが３．４ｍｍである場合における第１開口８１０および第２開口８２０のそれぞれの深さの一例を説明する。第２開口８２０と第１開口８１０との境界面は、下部面８４０から１．５ｍｍの位置にあってよい。すなわち、第２開口８２０の深さは、１．５ｍｍであってよい。また、第１開口８１０と底部８０３との境界面が、下部面８４０から２．９ｍｍの位置にあってよい。すなわち、第１開口８１０の深さは、１．４ｍｍであってよい。
【０１４４】
なお、蓋７３７の下部面８４０から上部面８００までの厚みにかかわらず、第１開口８１０の深さｄ１と第１開口８１０の断面の直径Ｄ１との比Ｄ１／ｄ１の値は、１．６以上２．４以下であることが好ましい。比Ｄ１／ｄ１の値は、１．８以上２．２以下であることがより好ましい。また、第２開口８２０の深さｄ２と第２開口８２０の断面の直径Ｄ２との比Ｄ２／ｄ２の値は、０．８以上１．２以下であることが好ましい。比Ｄ２／ｄ２の値は、０．９以上１．１以下であることがより好ましい。
【０１４５】
以上に説明した実施形態において、フレーム１２０、フレーム４２０およびフレーム７２０を「フレーム」と総称し、液体容器１３０、液体容器４３０および液体容器７３０を「液体容器」と総称し、通気孔１３５、通気孔４３５および通気孔７３５を「通気孔」として総称し、空洞１３２、空洞４３２および液体容器７３０の空洞を「空洞」として総称し、側面１３４、側面４３４および側面７３４を「内側側面」として総称すると、上述したように、通気孔は、空洞から内側側面まで貫通している。また、複数の通気孔はマトリクス状に整列して設けられる。また、通気孔の断面が円形状である場合を主として説明した。しかし、通気孔の形状、数および配置は、これらに限定されない。例えば、通気孔は１つであってよい。すなわち、通気孔は１以上設けられてよい。複数の通気孔が配される場合、複数の通気孔が整列して設けられなくてもよい。通気孔の形状、数および配置は、空洞から内側側面まで気体を透過させるが、液体を透過させないように決定されてよい。
【０１４６】
通気孔の形状は、空洞からフレームの内側の面まで水蒸気を透過させるが、純水または水道水を透過させないように決定されてよい。通気孔の形状としては、通気孔の断面形状、断面の大きさ、および、空洞側の面からフレームの内側の面までの通気孔の距離を例示することができる。通気孔が水蒸気を透過させるか否かは、ＪＩＳ  Ｚ０２０８で定められた透湿度試験方法（カップ法）またはＪＩＳ  Ｋ７１２９で定められた透湿度試験方法（Ｌｙｓｓｙ法など）により、試験片を通過する水蒸気の量を測定することで決定してよい。試験片に通気孔を設けた場合の水蒸気透過量が、試験片に通気孔を設けなかった場合の水蒸気透過量よりも大きい場合に、通気孔が水蒸気を透過させると判断してよい。
【０１４７】
通気孔が純水または水道水を透過させるか否かは、通気孔の空洞側の開口と、通気孔のフレームの内側の面側の開口との間に、９．８０６Ｐａ以下の圧力差を設けた状態で１０分間静置した場合に、純水または水道水が通気孔を透過するか否かにより判断してよい。純水または水道水が通気孔を透過したか否かは、目視により液体の水の漏出を確認することにより決定してよい。好ましくは、上記の圧力差が９．８０６Ｐａより大きく４９．０３Ｐａ以下であることが好ましく、より好ましくは、上記の圧力差が４９．０３Ｐａより大きく９８．０６Ｐａ以下であることが好ましく、さらに好ましくは、上記の圧力差が９８．０６Ｐａより大きく２９４．１８Ｐａ以下であることが好ましい。
【０１４８】
通気孔の断面形状が円形である場合、通気孔の直径は０．１ｍｍ以上１．５ｍｍ以下、好ましくは０．３ｍｍ以上１．２ｍｍ以下、より好ましくは０．５ｍｍ以上１ｍｍ以下であってよい。通気孔の断面形状が楕円形である場合、通気孔の長径は０．１ｍｍ以上１．７ｍｍ以下、好ましくは０．５ｍｍ以上１．４ｍｍ以下、より好ましくは０．７ｍｍ以上１．２ｍｍ以下であってよい。空洞側の面からフレームの内側側面までの通気孔の距離は、０．１ｍｍ以上１．５ｍｍ以下、好ましくは０．３ｍｍ以上１．２ｍｍ以下、より好ましくは０．５ｍｍ以上１ｍｍ以下であってよい。
【０１４９】
複数の通気孔の体積を合計した値は、空洞の体積より小さくてよい。ここで、空洞の内部に充填材が配される場合には、空洞の内部で充填材が占めている部分の体積は、空洞の体積に含まれない。
【０１５０】
通気孔は、液体容器が配されたフレームが顔部に装着された場合に水面となる位置よりも上側の位置に配されてもよい。なお、通気孔の大きさが十分小さい場合には、液体容器が配されたフレームが顔部に装着された場合に水面となる位置よりも下側の位置に、通気孔が配されてもよい。
【０１５１】
以上の構成により、空洞に貯留された液体が気化して発生した気体が、通気孔を透過してフレームの内側に供給される。また、通気孔は空洞に貯留された液体を透過させないので、装着者の顔部に液体が飛散することを抑制できる。
【０１５２】
以上に説明した実施形態において、気体透過部が、通気孔である場合について説明した。しかし、気体透過部はこれに限定されない。気体透過部は、気体を透過させるが液体を透過させない有機高分子膜または無機多孔質膜を有してもよい。気体透過部は、水蒸気を透過させるが純水または水道水を透過させない有機高分子膜または無機多孔質膜を有してよい。気体透過部は、シリコーンゴムであってよい。この構成によっても通気孔から液体が漏出することを抑制できる。例えば、通気孔が保水性または吸水性を有する材料で覆われていない場合であっても、通気孔から液体が漏出することを抑制できる。この場合、より多くの液体を貯留することができる。また、メガネを衛生的に使用することもできる。
【０１５３】
なお、液体容器において、空洞の内部に保水性または吸水性を有する材料が配されない場合について説明した。しかし、液体容器はこれに限定されない。フェルト、紙、海綿、スポンジ、吸水性ポリマー、ハイドロゲルなどの保水性または吸水性を有する材料が気体透過部の一部を構成してよい。空洞の内部に、保水性または吸水性を有する材料が配されてよい。これにより、通気孔の大きさが大きい場合であっても、空洞から液体が漏出することを抑制できる。なお、この場合、保水性または吸水性を有する材料の上端は、空洞部に貯留される液体の液面よりも上方に配されることが好ましい。
【０１５４】
保水性または吸水性を有する材料が空洞の内部に配される場合には、空洞の内部で保水性または吸水性を有する材料が占める体積は、空洞の内部に保水性または吸水性を有する材料が配されない状態における空洞の体積の半分より小さくてよい。これにより、空洞により多くの液体を貯留することができる。
【０１５５】
液体容器を開閉する構成として、液体容器がフレームの外側の面から開閉されて、液体容器が開口に収容される位置と液体容器が開口に収容されない位置との間で移動する場合について説明した。しかし、液体容器が開閉される方向は、これに限定されない。例えば、液体容器が、フレームの内側の面から開閉されてよい。液体容器が、フレームの外側の面およびフレームの内側の面の両面から開閉できてもよい。
【０１５６】
液体容器を収容する構成として、フレームの開口に液体容器が収容される場合について説明した。しかし、液体容器を収容する収容部は、これに限定されない。例えば、液体容器は、フレームに形成された凹部に収容されてもよい。例えば、フレームの内側または外側の面に凹部が形成されており、液体容器が当該凹部に収容されてよい。例えば、液体容器を収容する凹部は、フレームの内側の面に形成されてよい。この場合、液体容器は、フレームの内側の面から開閉されてよい。液体容器を収容する凹部は、フレームの外側の面に形成されてもよい。この場合、液体容器は、フレームの外側の面から開閉されてよい。
【０１５７】
また、以上に説明した実施形態における智部１２４、智部１２４および智部７２４を「智部」、テンプル１２６、テンプル４２６およびテンプル７２６を「テンプル」と総称すると、液体容器において、液体容器を収容する収容部は、智部に設けられる。しかし、収容部の位置は、これに限定されない。収容部がテンプルに形成されてもよい。
【０１５８】
また、液体容器４３０および液体容器７３０については、液体容器をフレームに対して可動に支持する支軸を、智部に対してテンプルを可動に支持する支軸と共通化した場合について説明した。しかし、液体容器をフレームに対して可動に支持する機構は、これに限定されない。液体容器は、智部に対してテンプルを可動に支持する支軸とは異なる支軸により、フレームに対して可動に支持されてよい。例えば、フレームは、液体容器をフレームに対して可動に支持するヒンジと、テンプルを智部に対して可動に支持するヒンジとを有してよい。また、液体容器は、ヒンジ機構以外の変位機構により、フレームに対して可動に支持されてもよい。
【０１５９】
以上に説明した実施形態において、アイウエアが、メガネである場合について説明した。メガネは、装着者の目の屈折異常を補正したり、装着者の目を保護したり、着飾ったりすること等を更なる目的としても利用され得る。しかし、アイウエアはメガネに限定されない。アイウエアは、目に関連する装具であればよく、メガネ、サングラス、ゴーグル、ヘッドマウントディスプレイなどの顔面装着具または頭部装着具であってよい。アイウエアは、顔面装着具または頭部装着具のフレームまたは当該フレームの一部であってもよい。アイウエアに適用される光学部材としては、レンズ特性に限らず、アイウエアの使用目的に応じた光学特性を持つ光学部材を適用できる。
【０１６０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１６１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１６２】
１００  メガネ 
１１０  レンズ 
１２０  フレーム 
１２１  ノーズパッド 
１２２  リム 
１２３  ブリッジ
１２４  智部
１２６  テンプル 
１２８  イヤーパッド 
１３０  液体容器 
１３１  容器本体
１３２  空洞 
１３３  側面
１３４  側面 
１３６  挿通部
１３５  通気孔
１３７  蓋
１３８  挿入口
１３９  スリット 
１４０  開口 
１５０  ヒンジ支軸部材
１５２  軸部材
１５４  軸部材
１６０  挿通部
１６２  挿通口
１７０  挿通部
１７２  挿通口
１７４  挿通口
１８１  内側面
１８２  外側面
１８４  智部側側面
１８６  テンプル側側面
２３０  液体容器
２３８  挿入口
３３０  液体容器
４２０  フレーム
４２２  リム
４２３  ブリッジ
４２４  智部
４２６  テンプル
４３０  液体容器
４３１  容器本体
４３２  空洞
４３３  側面
４３４  側面
４３５  通気孔
４３６  挿通部
４３７  蓋
４３８  挿入口
４４０  開口
４５０  ヒンジ支軸部材
４５２  軸部材
４５４  軸部材
４６０  挿通部
４６２  挿通口
４７０  挿通部
４７２  挿通口
４７４  挿通口
４８１  内側面
４８２  外側面
４８４  智部側側面
４８６  テンプル側側面
５１０  スリット部
７１０  スリット部
７２０  フレーム
７２２  リム
７２３  ブリッジ
７２４  智部
７２６  テンプル
７３０  液体容器
７３１  容器本体
７３４  側面
７３５  通気孔
７３６  挿通部
７３７  蓋
７３８  挿入口
７４０  開口
７５０  ヒンジ支軸部材
７７４  挿通口
８００  上部面
８０２  側面部
８０３  底部
８０４  凹部
８１０  第１開口
８２０  第２開口
８４０  下部面
８８１  第１側部
８８２  第２側部
【図１】
2015084067.tif 000003
【図２】
2015084067.tif 000004
【図３】
2015084067.tif 000005
【図４】
2015084067.tif 000006
【図５】
2015084067.tif 000007
【図６】
2015084067.tif 000008
【図１２】
2015084067.tif 000009
【図１３】
2015084067.tif 000010
【図１４】
2015084067.tif 000011
【図１５】
2015084067.tif 000012
【図７】
2015084067.tif 000013
【図８】
2015084067.tif 000014
【図９】
2015084067.tif 000015
【図１０】
2015084067.tif 000016
【図１１】
2015084067.tif 000017